(57)【特許請求の範囲】
【請求項１】
第２装置と通信する第１装置であって、前記第１装置は、
−複数の異なるソース部の少なくとも１つから第１コードを含む超音波信号を受信する受信器と、
−前記第１コードを分析する分析器と、
−前記複数の異なるソース部の少なくとも１つから受信した前記第１コードの分析結果が所定の条件を満たす場合、複数の第２コードから対応する少なくとも１つの第２コードを選択し、選択した前記第２コードを含む電磁気信号を前記第２装置へ送信する一方、前記複数の異なるソース部の少なくとも１つから受信した前記第１コードの分析結果が前記所定の条件を満たさない場合、前記第２コードを含む電磁気信号を前記第２装置へ送信しない送信器と、
を含む、第１装置。
【請求項２】
前記第１コードの分析に応答して、前記第１装置の少なくとも一部を制御する制御器を更に含む、請求項１記載の第１装置。
【請求項３】
請求項２に記載の第１装置であって、前記制御は、前記第１装置のモードの制御を含み、前記第１装置は、少なくとも電力節約モード及び電力消費モードを有する、第１装置。
【請求項４】
請求項２に記載の第１装置であって、前記制御は、前記超音波信号の受信に応答して、前記送信器が前記第２コードを含む前記電磁気信号を前記第２装置へ送信することの制御を含む、第１装置。
【請求項５】
請求項２に記載の第１装置であって、当該第１装置は、更に、
−前記第２コードを供給する供給器、
を含み、前記制御は、前記供給器の制御を含み、前記第２コードは、識別コード及び／又は固有コード及び／又は前記第１コード及び／又は前記第１コードへのリンク及び／又は分析結果を含む、第１装置。
【請求項６】
請求項１に記載の第１装置であって、前記第１コードの前記分析は、比較を含む、第１装置。
【請求項７】
請求項２に記載の第１装置であって、当該第１装置は、更に、
−前記第２装置から第３コードを含む更なる電磁気信号を受信する受信器、
を含み、前記送信器は、前記更なる電磁気信号の受信に応答して、第４コードを含むより更なる電磁気信号を前記第２装置へ送信するように構成される、第１装置。
【請求項８】
請求項１に記載の第１装置を含む第１機器。
【請求項９】
請求項１乃至７のいずれか１項に記載の第１装置と、前記第１装置と通信する第２装置であって、
−前記第１装置から前記第２コードを含む電磁気信号を受信する受信器と、
−前記第２コードを分析する分析器と、
−前記第２コードの分析に応答して、パラメータ信号を生成する生成器と、
を含む、第２装置とを含む、システム。
【請求項１０】
請求項９に記載のシステムであって、前記パラメータ信号は、登録事項及び／又は認証事項及び／又は環境事項及び／又は分析結果を規定する、システム。
【請求項１１】
請求項９に記載のシステムであって、前記第２コードの前記分析は、比較を含む、システム。
【請求項１２】
請求項９に記載のシステムであって、前記第２装置は、更に、
−前記分析器及び／又は前記生成器を制御する制御器、
を含む、システム。
【請求項１３】
請求項９に記載のシステムであって、前記第２装置は、更に、
−前記電磁気信号の受信に応答して、第３コードを含む更なる電磁気信号を前記第１装置へ送信する送信器、
を含み、前記受信器は、前記第１装置から第４コードを含むより更なる電磁気信号を受信するように構成される、システム。
【請求項１４】
第１装置と第２装置との間の通信方法であって、
−前記第１装置において、複数の異なるソース部の少なくとも１つから第１コードを含む超音波信号を受信するステップと、前記第１コードを分析するステップと、前記複数の異なるソース部の少なくとも１つから受信した前記第１コードの分析結果が所定の条件を満たす場合、複数の第２コードから対応する少なくとも１つの第２コードを選択し、選択した前記第２コードを含む電磁気信号を送信する一方、前記複数の異なるソース部の少なくとも１つから受信した前記第１コードの分析結果が前記所定の条件を満たさない場合、前記第２コードを含む電磁気信号を前記第２装置へ送信しないステップと、
を含む、通信方法。
【発明の詳細な説明】
【技術分野】
【０００１】
本発明は、第２装置と通信する第１装置に関し、及び、第１装置と通信する第２装置にも関し、並びに、通信方法にも関する。
【０００２】
このような第１装置の例は、タグ及びバッチなどの、超音波信号を受信し且つ電磁気信号を送信する受信器送信器の組合せであり、このような第２装置の例は、インターフェイスの一部及びステーションの一部などの、電磁気信号を受信する受信器である。
【背景技術】
【０００３】
米国特許第7,362,656B2号は、超音波位置特定システムを開示する。このシステムは、異なった符号化超音波パルスを送信する送信ユニット（ソース）を用いる。システムは、更に、異なる符号化超音波パルスを受信し且つ無線信号を送信するタグ（第１装置）を用いる。これらの無線信号は、受信超音波パルスに関する計算された到着時間を含み、及び、タグ識別を含む。システムは、無線信号を受信し且つデータベースを更新するサーバ（第２装置）も使用する。このシステムは、タグの位置を決定する目的に関して設計されている。
【発明の概要】
【発明が解決しようとする課題】
【０００４】
本発明の目的の一つは、更なる及び他の目的に関して使用され得る改善された第１装置を提供することである。本発明の更なる目的は、更なる及び他の目的に関して使用され得る改善された第２装置を提供することである。本発明のより更なる目的は、改善された方法を提供することである。
【課題を解決するための手段】
【０００５】
第１の態様に従うと、第２装置と通信する第１装置であって、前記第１装置は、
−ソース部から第１コードを含む超音波信号を受信する受信器と、
−前記第１コードを分析する分析器と、
−第２コードを含む電磁気信号を前記第２装置へ送信する送信器と、
−前記第１コードの分析に応答して、前記第１装置の少なくとも一部を制御する制御器と、
を含む、第１装置が提供される。
【０００６】
受信器は、ソース部から第１コードを含む超音波信号を受信する。分析器は、例えば超音波信号の受信に応答して、前記第１コードを分析し、送信器は、第２コードを含む電磁気信号を前記第２装置へ送信する。更に、前記第１コードの分析に応答して、前記第１装置の少なくとも一部を制御する制御器を第１装置に備えることによって、第１装置は、第１コードを含む超音波信号の受信へいかに反応するかを自身で決定することが可能になっている。結果として、位置決定以外の更なる及び他の目的が可能になる。
【０００７】
米国特許第7,362,656B2号において、タグは、超音波パルスの受信に対して、受信超音波パルスに関する到着時間を計算することによって反応する。タグは、送信ユニット識別（超音波パルスの符号化）を分析しないが、タグは、これらの送信ユニット識別を到着時間及びタグ識別とともにサーバへ転送のみ行う。
【０００８】
超音波信号における第１コードは、信号へ加えられたコード（例えばオン／オフ変調などにより）であり得る、又は信号において実施化されるコード（好ましくは、例えば、周波数変調若しくは位相変調、又はそうでなければ例えば周波数、振幅、電力の選択による）であり得る。電磁気信号は、光学信号であり得るが、好ましくは、無線周波数信号であり得る。電磁気信号における第２コードは、信号へ加えられたコード（例えば変調などにより）であり得る、又は信号において実施化されるコード（例えば、周波数、振幅、電力の選択による）であり得る。超音波信号における１つより多い第１コード及び１つ以上の追加コードは除外されるべきでない。電磁気信号における１つより多い第２コード及び１つ以上の追加コードは、除外されるべきでない。
【０００９】
ある実施例に従うと、第１装置は、前記第１装置の少なくとも前記一部の前記制御は、前記第１装置のモードの制御を含み、前記第１装置は、少なくとも電力節約モード及び電力消費モードを有することによって規定される。この場合、第１コードの分析は、例えば、第１装置が、電力節約モードから電力消費モードへなどへ進むことを決断するようにさせるなど、例えば、第１時間の間において又は第１コード若しくは別のコードを含む次の超音波信号が受信されるまでの無線センサ装置のウェイクアップなど、を可能にする。
【００１０】
ある実施例に従うと、第１装置は、前記第１装置の少なくとも前記一部の前記制御は、前記超音波信号の受信に応答して、前記送信器が前記第２コードを含む前記電磁気信号を前記第２装置へ送信することの制御を含むことによって規定される。この場合、第１コードの分析は、例えば、第１装置が、例えば、すぐに又は第２時間の後に、及び例えば第３時間の間において又は第１コード若しくは別のコードを含む次の超音波信号が受信されるまで、電磁気信号の送信に関して送信器を活性化させるようにさせることなどを可能にする。
【００１１】
ある実施例に従うと、第１装置は、更に、前記第２コードを供給する供給器を含み、前記第１装置の少なくとも前記一部の前記制御は、前記供給器の制御を含み、前記第２コードは、識別コード及び／又は固有コード及び／又は前記第１コード及び／又は前記第１コードへのリンク及び／又は分析結果を含むことによって規定される。この場合、第１コードの分析は、例えば、第１装置が、例えば、すぐに又は第４時間の後に、第２コードを供給する供給器を活性化することを決断させることなどを可能にし、並びに、例えば、第１装置が、例えば、第１コードに依存して及び／又はデータ若しくは時間などの別の構成に依存するなどして、第２コードを選択する供給器をプログラムすることを決断させることなどを可能にする。第２コードは、例えば、識別コード（第１装置の（ユーザの）識別）及び／又は（システム内で固有の）固有コードを含み得、例えば更に、第１コード及び／又は第１コードへのリンク及び／又は分析結果を含み得る。
【００１２】
ある実施例に従うと、第１装置は、前記第１コードの前記分析は、比較を含むことによって規定される。簡素な場合において、第１コードは、１つ以上の他のコードと単に比較される。より高度な場合において、第１コードは処理され、その後、１つ以上のコードと比較される、又は、第１コードは１つ以上の処理されたコードと比較される、又は、第１コードは処理され、その後１つ以上の処理されたコードと比較される。比較は、１つ以上のコードの関数の１つ以上の計算などを含み得る。
【００１３】
ある実施例に従うと、第１装置は、当該第１装置は、更に、前記第２装置から第３コードを含む更なる電磁気信号を受信する更なる受信器を含み、前記送信器は、前記更なる電磁気信号の受信に応答して、第４コードを含むより更なる電磁気信号を前記第２装置へ送信するように構成されることによって規定される。この場合、第１装置は、初めに第２コードを含む電磁気信号を第２装置へ送信する。これに応答して、第２装置は、第２に、第３コードを含む更なる電磁気信号を第１装置へ送信する。これに応答して、第１装置は、第３に、第４コードを含むより更なる電磁気信号を第２装置へ送信する。このことは、例えば、チャレンジ・サイン・レスポンスの仕組みが、認証目的などに関して使用されるようにさせる。第２に（第３に）送信する前に、第２（第３）コードの分析は実行され得る。
【００１４】
代替態様に従うと、第１装置を含む第１機器が提供される。このような第１機器は、携帯電話、無線センサ装置又は管理機器（オーガナイザ）などのハンドヘルド装置であり得、この場合、ユーザは、ユーザがハンドヘルド装置を所持手している限りはタグ又はバッチを忘れ得ない。第１機器は、パーソナルコンピュータなどのラップトップ又はデスクトップ機であり得る、又はリビングルーム機器、キッチン機器若しくはオフィス機器などであり得、この場合、この第１機器は、監視され得、例えば盗難から防がれ得る。
【００１５】
第２の態様に従うと、第１装置と通信する第２装置であって、当該第２装置は、
−前記第１装置から第２コードを含む電磁気信号を受信する受信器と、
−前記第２コードを分析する分析器と、
−前記第２コードの分析に応答して、パラメータ信号を生成する生成器と、
を含む、第２装置が提供される。
【００１６】
受信器は、第１装置から第２コードを含む電磁気信号を受信する。分析器は、第２コードを分析する。生成器は、第２コードの分析に応答して、パラメータ信号を生成する。第２コードは、ソース部からの超音波信号における第１コードを分析した後に第１装置において生成されていたという事実により、及び、第２コードが第２装置において分析されるという事実により、位置決定以外の更なる及び／又は他の目的が可能になる。第２装置は、更に、超音波信号を生成するソース部を含み得る。
【００１７】
ある実施例に従うと、第２装置は、前記パラメータ信号は、登録事項及び／又は認証事項及び／又は環境事項及び／又は分析結果を規定することによって規定される。登録事項は、出席、労働時間及び駐車時間などの登録を含み得る。認証事項は、支払い、入場／退場（ビル、部屋、計算機）などに関する認証を含み得る。環境事項は、光、空調、温度などの操作を含み得る。分析結果は、第２コードの分析からの結果を含み得る。パラメータ信号は、例えば、オブジェクトへ供給され得る、又は、パラメータ信号の受信に応答してオブジェクトへ供給され得る更なるパラメータ信号を生成し得る第１装置へ供給され得る。
【００１８】
ある実施例に従うと、第２装置は、前記第２コードの前記分析は、比較を含むことによって規定される。簡素な場合において、第２コードは、１つ以上の他のコードと単に比較される。より高度な場合において、第２コードは処理され、その後、１つ以上の他のコードと比較される、又は、第２コードは１つ以上の他の処理されたコードと比較される、又は、第２コードは処理され、その後１つ以上の他の処理されたコードと比較される。比較は、１つ以上のコードの関数の１つ以上の計算などを含み得る。
【００１９】
ある実施例に従うと、第２装置は、更に、前記分析器及び／又は前記生成器を制御する制御器を含むことによって規定される。この場合、分析器及び／又は生成器は、例えば、第２コードに依存して及び／又はデータ若しくは時間などの別の構成に依存するなどして、制御され得る。第２コードを選択する供給器をプログラムすることを決断させることなどを可能にする。
【００２０】
ある実施例に従うと、第２装置は、当該第２装置は、更に、前記電磁気信号の受信に応答して、第３コードを含む更なる電磁気信号を前記第１装置へ送信する受信する送信器を含み、前記受信器は、前記第１装置から第４コードを含むより更なる電磁気信号を受信するように構成されることによって規定される。同様に、このことは、チャレンジ・サイン・レスポンスの仕組みが認証目的などに使用されることを可能にする。
【００２１】
代替態様に従うと、第２装置を含む第２機器が提供される。このような第２機器は、出席、労働時間及び駐車時間などの登録を登録する登録機器であり得る、又は、支払い、入場／退場（ビル、部屋、計算機）などに関する認証をする認証機器であり得る、又は、光、空調、温度などの操作をする環境機器であり得る。第２機器は、超音波信号を生成するソース部を更に含み得る。第２機器は、自動車でもあり得、この場合、第１装置又は第１機器は自動車の鍵であり得る。
【００２２】
更なる代替態様に従うと、第１装置を含む、及び／又は第１機器を含む、及び／又は第２装置を含む、及び／又は第２機器を含む、システムが提供される。システムは、更に、超音波信号を生成するソース部を含み得る。
【００２３】
第３の態様に従うと、通信方法であって、
−第１装置において、ソース部から第１コードを含む超音波信号を受信し、前記第１コードを分析し、前記第１コードの分析に応答して、前記第１装置の少なくとも一部を制御するステップと、
−前記第１装置から第２装置へ、第２コードを含む電磁気信号を送信するステップと、
−前記第２装置において、前記第２コードを含む前記電磁気信号を受信し、前記第２コードを分析し、前記第２コードの分析に応答して、パラメータ信号を生成するステップと、
を含む、通信方法が提供される。
【００２４】
一つの洞察は、第１及び第２装置を含むシステムにおいて更なる及び／又は他の目的を生成する場合に、第１装置は、通知装置のみである必要は必ずしもなく、第２装置は、必ずしも決断装置のみである必要はないことであり得る。
【００２５】
基本的な着想は、第１装置において、超音波信号の第１コードは分析されるべきであり、第１コード分析の結果に依存して、第１装置の少なくとも一部が制御されるべきであり、第２装置において、電磁気信号の第２コードが分析されるべきであり、第２コード分析結果に依存して、パラメータ信号が生成されるべきであるということであり得る。
【００２６】
更なる及び／又は他の目的に関して使用され得る改善された装置を提供する課題は解決されている。
【００２７】
更なる有利な点は、登録及び／又は認証システムのユーザフレンドリ性が増加され得る、及び／又は、環境システムのエネルギ消費が低減され得ることであり得る。
【００２８】
本発明のこれら及び他の態様は、以下に記載の実施例から明らかでありこれらを参照にして説明され得る。
【図面の簡単な説明】
【００２９】
【図１】図１は、第１装置及び第２装置並びにソース部を含むシステムの第１実施例を示す。
【図２】図２は、第１装置及び第２装置を含み、第２装置がソース部を含む、システムの第１実施例を示す。
【図３】図３は、第１装置を含む第１機器、及び第２装置を含む第２機器を示す。
【図４】図４は、それぞれが１つ以上の第２機器を有するエントランス、廊下及び部屋を含むビルのフロアを示す。
【発明を実施するための形態】
【００３０】
図１において、第１装置１０及び第２装置２０並びにソース部３０を含むシステム３００の第１実施例が示される。第１装置１０は、第２装置２０と通信することが可能であり、且つ、ソース部３０から第１コードを含む超音波信号１を受信する受信器１１と、前記第１コードを分析する分析器１２と、例えば超音波信号１の受信に応答して、第２コードを含む電磁気信号２を前記第２装置２０へ送信する送信器１３と、前記第１コードの分析に応答して、前記第１装置１０の少なくとも一部を制御する制御器１４と、を含む。第１コードの前記分析は、例えば、比較を含み得る。
【００３１】
第１装置１０は、更に、例えば、第２コードを供給する供給器１５を含み得、この場合、前記第１装置１０の少なくとも一部の前記制御は、供給器１５の制御を含み得る。第１装置１０は、更に、例えば、前記第２装置２０から第３コードを含む更なる電磁気信号３を受信する更なる受信器１６を含み、この場合、前記送信器１３は、例えば、前記更なる電磁気信号３の受信に応答して、第４コードを含むより更なる電磁気信号４を前記第２装置２０へ送信するように構成され得る。分析器１２は、更に、第３コードを分析するように構成され得る。
【００３２】
第１装置は、更に、（より太い）供給ラインを介して、受信器１１及び制御器へ電源供給し、そして例えばスイッチ１８等を介して送信器１３及び更なる受信器へ電源供給するバッテリを含み得る。制御器１４は、（より太い）制御ラインを介して、受信器１１・１６、送信器１３、分析器１２、供給器１５及びスイッチ１８を制御する。この場合、第１装置１０の少なくとも一部の前記制御は、例えば、第１装置１０のモードの制御を含み得る。第１装置１０は、例えば、少なくとも電源節約モード（スイッチ１８が無効化される）、及び電源消費モード（スイッチ１８が有効化される）などを含み得る。代替的に、第１装置１０の少なくとも一部の前記制御は、例えば、超音波信号１の受信に応答して、第２コードを含む電磁気信号２を第２装置２０へ送信する送信器１３の制御を含み得る。
【００３３】
第２装置２０は、第１装置と通信し得、且つ、当該第２装置２０は、前記第１装置１０から第２コードを含む電磁気信号２を受信する受信器２１と、前記第２コードを分析する分析器２２と、前記第２コードの分析に応答して、パラメータ信号５を生成する生成器２３と、を含み得る。パラメータ信号５は、例えば、登録事項及び／又は認証事項及び／又は環境事項を規定し得る。図１において、パラメータ信号５は、例えば、ランプ４０の形式で環境事項を制御する。第２コードの分析は、例えば、比較を含み得る。
【００３４】
第２装置２０は、更に、例えば、分析器２２及び／又は生成器２３を制御する制御器２４を含み得る。第２装置２０は、更に、例えば、前記電磁気信号２の受信に応答して、第３コードを含む更なる電磁気信号３を前記第１装置１０へ送信する受信する送信器２５を含み得、この場合、前記受信器２１は、例えば、前記第１装置１０から第４コードを含むより更なる電磁気信号４を受信するように構成され得る。分析器２２は、更に、第４コードを分析するように構成され得る。制御器２４は、（より太い）制御ラインを介して、受信器２１、送信器２５、分析器２２、及び生成器２３を制御する。
【００３５】
図１において、超音波信号１を生成するソース部３０は、第２装置２０の外側に位置される。図２において、第１装置１０及び第２装置２０を含むシステム３００の第２実施例が示される。第２実施例は、第１実施例とは、第２装置２０が第１コード及び／又は第３コードを供給する供給器２６と、第１コードを含む超音波信号１を生成するソース部２７とを含むこと、及び、制御器２４は、更に有利に、供給器２６及びソース部２７を制御し得ること、においてのみ相違する。
【００３６】
代替的に、図１・２においても示されるように、第２装置２０において、生成器２３は、パラメータ信号５を生成し得、そして、それを第１装置１０における制御器１４へ結合されるより更なる受信器４１へ供給し得る。それに応答して、制御器１４は、生成器４２に更なるパラメータを生成させ、この更なるパラメータをランプ４０へ供給するように命令し得る。更なるパラメータ６は、例えば、まさにパラメータ信号５のように、例えば、登録事項及び／又は認証事項及び／又は環境事項を規定し得る。更に代替的に、第２装置２０において、生成器２３は、パラメータ信号５を生成し得、そして、それを送信器２５を介して第１装置１０における制御器１４へ結合されるより更なる受信器１６へ供給し得る。それに応答して、制御器１４は、生成器４２に更なるパラメータ信号６を生成させるように等命令し得る。より更なる代替案として、第２装置２０において、生成器２３は、パラメータ信号５を生成し得るが、ここでは分析結果のみを含むパラメータ信号５を生成し得、この信号は、送信器２５及び更なる受信器１６などを介して第１装置１０へ送り戻され、これに応答して、更なるパラメータ６が生成される。したがって、生成器２３・４２のそれぞれ１つずつは、送信器を含み得、又は、送信器へ結合され得、パラメータ信号５・６のそれぞれ１つずつは、有線又は無線信号であり得、そして、電源供給信号又はインターネット信号又は情報又はこの情報へのリンクを含む信号であり得る。
【００３７】
図３において、第１装置１０を含む第１機器１００、及び第２装置２０を含む第２機器２００−２１７が示される。
【００３８】
図４において、それぞれが１つ以上の第２機器２００−２１７を有する、エントランス４０１、廊下４０２、及び部屋４０３−４１０を含むビルのフロア４００が示される。エントランス４０１は、２つの回転ドア４１１・４１２及び第２機器２０１を有する。回転ドア４１１は、外側へのアクセスを提供し、回転ドア４１２は廊下４０２へのアクセスを提供し、両方の回転ドアはエントランス４０１へのアクセスを提供する。廊下４０２は、３つの第２機器２０２−２０４、及び、部屋４０３−４１０へのアクセスを提供する８つの通常のドアを有する。部屋４０３は、２つの機器２０５・２０６を有する。部屋４０４は、２つの機器２０７・２０８を有する。部屋４０５は、２つの機器２０９・２１０を有する。部屋４０６は、２つの機器２１１・２１２を有する。部屋４０７は、１つの機器２１３を有する。部屋４０８は、１つの機器２１４を有する。部屋４０９は、１つの機器２１５を有する。部屋４１０は、２つの機器２１６・２１７を有する。
【００３９】
本発明は以下のように機能する。ユーザは、第１装置１０をタグなどの形態で自身で所持し（又はタグなどを含む携帯電話又は無線センサ装置などの形態の第１機器１００を有し）第１回転ドア４１１を通過し、エントランス４０１へ入る。ステーション又はインターフェイスなどの第２機器２０１は、第１コードＡ１を含む超音波信号１を生成するソース部２７を含む。このような超音波信号は、見通し線を必要とすることなく、相対的に高い周波数で相対的に低い電力を有して送信される場合、例えば、約１メータの到達距離を有し得、相対的に低い周波数で相対的に高い電力を有して送信される場合、例えば、約１０〜２０メータの到達距離を有し得る。代替的に、第１コードＡ１を含む超音波信号は、第２機器２０１の外側のどこかに位置されるソース部３０から生じ得る。
【００４０】
第１装置１０において、受信器１１は、第１コードＡ１を含む超音波信号１を受信し、分析器１２は、第１コードＡ１を分析する。これに従い、第１コードＡ１は、１つ以上の他のコードと、又は、１つ以上の処理された他のコードと比較される、又は、第１コード１Ａは処理され、その後、処理された第１コードは、１つ以上の他のコードと、又は、１つ以上の他の処理されたコードと比較される、又は、第１コードＡ１は、１つ以上の他の結果と比較されるべき関数結果を計算するために１つ以上の関数へ入力される、又は、第１コードＡ１及び１つ以上の他のコードは、１つ以上の他の結果と比較されるべき関数結果を計算するために１つ以上の関数へ入力される。
【００４１】
第１の選択肢に従うと、分析結果に応答して、第１装置１０において、制御器１４は、第１装置１０のモードなどの第１装置１０の少なくとも一部を制御する。第１装置１０は、例えば、電力節約モード及び電力消費モードなどを有し、分析結果に応答して、制御器１４は、スイッチ１８を有効化させ、これにより、送信器１３及び更なる受信器１６は、バッテリ１７へ結合される。結果として、第１装置１０は、電力節約モードから電力消費モードへ合せられており、送信器１３は、第２コードＡ２を含む電磁気信号２を装置２０を含む第２機器２０１へ送信し得る。第３モードなどの他の種類のモード、及び制御器１４のクロック速度を切り替えるなどの他の切り替えは除外されるべきでない。装置１０は、ある時間間隔で、又は、別の入来超音波信号若しくは別の入来電磁気信号に応答して、自動的に例えば電力節約モードなどの、以前のモードへ戻り得る。
【００４２】
第２の選択肢に従うと、分析結果に応答して、第１装置１０において、制御器１４は、例えば送信器１３などの第１装置１０の少なくとも一部を制御する。送信器は、第２コードＡ２を含む電磁気信号２を第２機器２０１へ送信する。
【００４３】
第３の選択肢に従うと、分析結果に応答して、第１装置１０において、制御器１４は、例えば供給器１５など、第１装置１０の少なくとも一部を制御する。この供給器１５は、第２機器２０１へ電磁気信号２の一部として送信されるための送信器１３への第２コードＡ２を供給する。
【００４４】
第２機器２０１において、受信器２１は、第２コードＡ２を含む電磁気信号２を受信し、分析器２２は、第２コードＡ２を分析する。これにより、第２コードＡ２は、１つ以上の他のコードと、又は１つ以上の他の処理されたコードと、比較される、又は、第２コードＡ２は処理され、その後、処理された第２コードは、１つ以上の他のコードと、又は、１つ以上の他の処理されたコードと比較される、又は、第２コードＡ２は、１つ以上の他の結果と比較されるべき関数結果を計算するために１つ以上の関数へ入力される、又は、第２コードＡ２及び１つ以上の他のコードは、１つ以上の他の結果と比較されるべき関数結果を計算するために１つ以上の関数へ入力される。前記処理及び前記関数は、これにより、日付又は時間などの特徴に依存し得る。
【００４５】
分析結果に応答して、第２機器２０１において、生成器２３は、パラメータ信号５を生成する。パラメータ信号５は、例えば登録事項及び／又は認証事項などを規定し、パラメータ信号５に応答して、労働時間登録が開始され、回転ドア４１２は、解錠される。回転ドア４１２は、ある時間間隔後に、又は別のパラメータ信号が例えば上述の第２機器２０２などから受信される場合、自動的に再施錠され得る。
【００４６】
第１の選択肢に従うと、第２機器２０１において、制御器２４は、日付又は時間などの特徴に関する依存性又は別の依存性などを導入する分析器２２を制御し得る、及び／又は、日付又は時間などの特徴に関する依存性又は別の依存性などを導入する生成器２３を制御し得る。
【００４７】
第２の選択肢に従うと、第２機器２０１において、送信器２５は、電磁気信号２の受信に応答して、第３コードＡ３を含む更なる電磁気信号３を第１装置１０へ送信する。第１装置１０において、更なる受信器１６は、第２機器２０１から第３コードＡ３を含む更なる電磁気信号３を受信し、送信器１３は、更なる電磁気信号３の受信に応答して、第４コードＡ４を含むより更なる電磁気信号４を第２機器２０１へ送信する。第２機器２０１において、受信器２１は、第１装置１０から第４コードＡ４を含むより更なる電磁気信号４を受信する。これらの追加的電磁気信号３及び４は、例えば、チャレンジ・サイン・レスポンスの仕組みが使用されるのを可能にする。これにより、第３・第４コードＡ３・Ａ４は、第２コードＡ２に関して説明されるように分析及び／又は供給され得る。
【００４８】
この場合、ユーザが回転ドア４１２を通過し、廊下４０２へ入る。ステーション又はインターフェイスなどの第２機器２０２は、第１コードＡ１を含む超音波信号１を生成するソース部２７を含む。代替的に、第１コードＢ１を含む超音波信号１が、第２機器２０２の外側のどこかに位置されるソース部３０から生じ得る。
【００４９】
第１装置１０において、受信器１１は、第１コードＢ１を含む超音波信号１を受信し、分析器１２は、可能であれば日付又は時間などの特徴に依存して第１コードＢ１を分析する。分析結果に応答して、第１装置１０のモードは制御され、及び／又は、送信器１３は制御され、及び／又は、供給器１５は制御され、これにより、第２コードＢ２を含む電磁気信号２が第２機器２０２へ送信される。
【００５０】
第２機器２０２において、受信器２１は、第２コードＢ２を含む電磁気信号２を受信し、分析器２２は、第２コードＢ２を分析する。分析結果に応答して、第２機器２０２において、生成器２３は、パラメータ信号５を生成する。パラメータ信号５は、例えば、環境事項を規定し、パラメータ信号５に応答して、廊下におけるライトがスイッチオンにされる。ライトは、ある時間間隔後に、又は別のパラメータ信号が受信される場合に、自動的にスイッチオフされ得る。前記分析及び／又は生成は、日付又は時間などの特徴に依存し得る。パラメータ信号５は、更に、回転ドア４１２を再び施錠し得る。
【００５１】
その後、ユーザは、１杯のコーヒーを入手するために部屋４０３へ入ることを決定する。ステーション又はインターフェイスなどの第２機器２０５は、第１コードＣ１を含む超音波信号１を生成するソース部２７を含む。代替的に、第１コードＣ１を含む超音波信号１が、第２機器２０５の外側のどこかに位置されるソース部３０から生じ得る。上述されるように、受信器１１は、第１コードＣ１などを含む超音波信号１を受信し、第２コードＣ２を含む電磁気信号２が第２機器２０５へ送信され、部屋４０３におけるライトがスイッチオンにされる。
【００５２】
コーヒーマシーンなどの第２機器２０６は、第１コードＤ１を含む超音波信号１を生成するソース部２７を含む。代替的に、第１コードＤ１を含む超音波信号１が、第２機器２０６の外側のどこかに位置されるソース部３０から生じ得る。上述されるように、第１装置１０において、受信器１１は、第１コードＤ１などを含む超音波信号１を受信し、第２コードＤ２を含む電磁気信号２が第２機器２０６へ送信され、第３コードＤ３を含む更なる電磁気信号は、第１装置１０へ送信され、第４コードＤ４を含むより更なる電磁気信号は、第２機器２０６へ送信され、そして、前記一杯のコーヒーは勘定を自動的に請求される。
【００５３】
第１コードＤ１を含む超音波信号１は、常に生成され得る、又は、ライトがスイッチオンにされるのに応じて生成され得る、又は、第２機器２０６におけるユーザによりなされる選択に応答して生成され得る。第１コードＤ１は、この選択を含む及び／又は規定し得、又は、選択は、ユーザが第１装置１０を適切にプログラムしているという事実により、自動的に第２コードＤ２へ挿入され得、又は、選択は、コードからは完全に独立してあり得る。
【００５４】
その後、ユーザは、働き始めることを決定して、部屋４０４へ入る。ステーション又はインターフェイスなどの第２機器２０７は、第１コードＥ１を含む超音波信号１を生成するソース部２７を含む。代替的に、第１コードＥ１を含む超音波信号１が、第２機器２０７の外側のどこかに位置されるソース部３０から生じ得る。上述されるように、第１装置１０において、受信器１１は、第１コードＥ１などを含む超音波信号１を受信し、第２コードＥ２を含む電磁気信号２が第２機器２０７へ送信され、部屋４０４におけるライト及び空調がスイッチオンにされる。
【００５５】
ＰＣなどの第２機器２０８は、第１コードＦ１を含む超音波信号１を生成するソース部２７を含む。代替的に、第１コードＥ１を含む超音波信号１が、第２機器２０８の外側のどこかに位置されるソース部３０から生じ得る。上述されるように、第１装置１０において、受信器１１は、第１コードＦ１などを含む超音波信号１を受信し、第２コードＦ２を含む電磁気信号２が第２機器２０８へ送信され、結果として、第２機器２０８は、ユーザによってアクセスされ得る。これにより、可能であれば、第３・第４コードＦ３・Ｆ４は交換される必要があり得る。
【００５６】
第１コードＦ１を含む超音波信号１は、常に生成され得る、又は、ライトがスイッチオンにされるのに応じて生成され得る、又は、第２機器２０８においてユーザによりなされる選択に応答して生成され得る。第１コードＦ１は、この選択を含む及び／又は規定し得、又は、選択は、ユーザが第１装置１０を適切にプログラムしていたという事実により、自動的に第２コードＦ２へ挿入され得、又は、選択は、コードからは完全に独立してあり得る。
【００５７】
このユーザが、同僚が働く部屋４０５・４０６へ入る場合、第２機器２０９・２１１は、このユーザに関してライトをオンにし得るが、例えば、このユーザに関して空調をオンにし得ず、ＰＣなどの第２機器２１０・２１２はこのユーザのアクセスを与え得ない。
【００５８】
このユーザがトイレなどの部屋４０７又は印刷／複写室などの部屋４０８へ入る場合、第２機器２１３・２１４は、このユーザに関してライトをオンにし得る。部屋４０７において、第２機器２１３は、例えば、水及び空調を更に制御し得る。部屋４０８において、第２機器２１４は、更に、例えば、ユーザに依存して印刷／複写機械へのアクセスを制御し得る。
【００５９】
このユーザが、上司が働く部屋４０９（４１０）へ入りたいと思う場合、第２機器２０３・２０４は、そのことを許可せず、この部屋４０９（４１０）へのドアを解錠し得ない。これにより、ステーション又はインターフェイスなどの第２機器２０３（２０４）は、第１コードＧ１（Ｈ１）を含む超音波信号１を生成するソース部２７を含む。代替的に、第１コードＧ１（Ｈ１）を含む超音波信号１が、第２機器２０３（２０４）の外側のどこかに位置されるソース部３０から生じ得る。上述されるように、第１装置１０において、受信器１１は、第１コードＧ１（Ｈ１）などを含む超音波信号１を受信する。しかしこの場合、第１の選択肢に従うと、第１装置１０の分析結果に応答して、第２コードＧ２（Ｈ２）を含む電磁気信号２は送信されず、ドアは解錠されない。又は、第２の選択肢に従うと、第１装置１０の分析結果に応答して、第２コードＧ２（Ｈ２）を含む電磁気信号２は、第２機器２０３へ送信されるが、第２機器２０３（２０４）における分析結果に応答して、ドアは解錠されない。これにより、第３・第４コードＧ３（Ｈ３）・Ｇ４（Ｈ４）も交換される必要があり得る。
【００６０】
第１コードＧ１（Ｈ１）を含む超音波信号１は、常に生成され得る、又は、ライトがスイッチオンにされるのに応じて生成され得る、又は、第２機器２０３（２０４）においてユーザによりなされる選択に応答して生成され得る。
【００６１】
様々な第１装置１０をタグなどの形態で自身で所持する（又はタグなどを含む携帯電話又は無線センサ装置などの形態の様々な第１機器１００を自身で有する）上司が、部屋４０９（４１０）へ入りたいと思うとき、第２機器２０３（２０４）は、このことを許可し、この部屋４０９（４１０）へのドアを解錠し得る。同様に、インターフェイスなどの第２機器２１５（２１６）は、ライト及び空調をオンに切り替え得、ＰＣなどの第２機器２１７は、この上司へアクセスを与え得る。
【００６２】
図４において、各第２機器は、第２装置によって置換され得る、又はステーション若しくはインターフェイス若しくはコーヒーマシーン若しくはＰＣなどに結合される及び／若しくは近くに位置され得る。エントランスは、人々が到着する部分と人々が出発する部分へと分割され得、それぞれの部分は、それぞれの回転ドア及び装置及び／又は機器を有する。各回転ドアは、１つ以上の装置及び／又は機器を含み得る。部屋毎に、超音波信号を生成する１つのソース部が存在し得る、又は２つより多いソース部が存在し得る。部屋毎に１つより多くのソース部が存在する場合、ソース部は、個別の第１コードを有する自身の個別の超音波信号を生成し得る、又はこれらソース部は、全て同一の第１コードを用いて自身の超音波信号を生成し得る。第２装置及び／又は第２機器は、ユーザの位置を決定する位置決定システムへ結合され得、この場合、各ソース部は、好ましくは、自身の固有の第１コードを有し得る。第２コードは、その場合、第１コード又は第１コードへのリンクを含み得、この場合、タグの、バッチの、携帯電話の、又はユーザの識別子を更に含み得る。このことは、更に、第２装置又は第２機器が、この第２装置又は第２機器へ宛てられる電磁気信号と、この第２装置又は第２機器へ宛てられない電磁気信号と、の間で識別することを可能にする。位置特定システムは、ビル及び／又は部屋毎の人々の数（又はタグ、バッチ若しくは携帯電話）を計数し得、例えば、計数結果に応答して設定を変更する。部屋毎に、ソースは、同一の部屋内におけるいくつかのソース部を互いに区別することを可能にするために、特定の電力及び特定の周波数及び特定の方向を有する超音波信号を生成し得る。例えば、エントランスにおける第２機器は、不必要なトリガを避けるために、指向的感知性を与えられる必要があり得る。超音波信号は、例えば所定の時間間隔毎に１度など、常に生成され得、この場合、所定の時間間隔のサイズは、適合的又は位置の状況に依存し得る。超音波信号は、日付又は時間、光の量又は温度に依存して、又は、ライトがスイッチオンにされる又はコーヒーの選択がされる又はユーザがＰＩＮコードを入力するなどの別のトリガ因子に依存して生成され得る。このようなＰＩＮコードは、更に、信号の受信の後に又は信号の送信の前に、１つ上の装置及び／又は１つ以上の機器へ入力される必要があり得る。装置及び／又は機器は、ＧＰＳなどの更なる位置特定システムを備えられ得る。装置毎に、スイッチ、分析器、供給器及び／又は生成器は、制御器へ統合され得る、又は、制御器の一部を形成し得る。制御器は、ソフトウェアを有する処理器であり得る、又は、ハードウェアに加えてソフトウェアを有する処理器であり得る、又は、完全にハードウェアであり得る。各選択肢は、いずれの他の選択肢と組み合わせられ得、第３及び第４コードを含む電磁気信号は実施例のみであり得る。第２機器は、代替的に、自動で施錠及び解錠され得る、スーツケース、カップボード、クローゼット、又はハードローブなどを含み得る。各第１及び第２機器は、メモリースティック又はラップトップであり得る。図４の実施例は、代替的に、病院（患者個別化）、セールスルーム／ビル（顧客個別化）、ゲーム部屋／ホール（ゲーマー個別化）、高齢者用ホーム（高齢者個別化）など（概して、人物個別化及び／又はオブジェクト個別化）に関して使用され得る。
【００６３】
要約すると、タグ及びバッチなどの第１装置１０は、ソース部２７・３０から第１コードを含む超音波信号１を受信する受信器１１と、前記第１コードを分析する分析器１２と、第２コードを含む電磁気信号２を前記第２装置２０へ送信する送信器１３と、前記第１コードの分析に応答して、モード、送信、第２コードの供給など、第１装置１０の少なくとも一部を制御する制御器１４と、を含む。インターフェイスの一部及びステーションの一部などの第２装置２０は、第１装置１０から第２コードを含む電磁気信号２を受信する受信器２１と、前記第２コードを分析する分析器２２と、前記第２コードの分析に応答して、登録事項、認証事項、環境事項、及び分析結果などの事項を規定するパラメータ信号５を生成する生成器２３と、を含み得る。第１装置１０は、携帯電話及び管理機器（オーガナイザ）などの第１機器１００の一部を形成し得、第２装置２０は、インターフェイス及びステーションなどの第２機器２００の一部を形成し得る。
【図１】
0005938610.tif 000002
【図２】
0005938610.tif 000003
【図３】
0005938610.tif 000004
【図４】
0005938610.tif 000005